(57)【要約】【課題】或る変電所に接続された蓄電装置が別の変電所の蓄電装置の動作に基づいて電力を融通することにより、需要電力を低減する。【解決手段】電力制御システムは、対象変電所へ供給される電力を示す受電情報を取得し、対象変電所から供給される電力を示すき電情報を取得し、対象変電所に接続されている蓄電装置の充放電を示す充放電情報を取得し、列車の運行を示す運行情報を取得し、受電情報とき電情報と充放電情報と運行情報とに基づいて、対象変電所における電力の予測値である予測電力を算出する予測部と、複数の変電所の中の第１変電所の予測電力に基づいて、第１変電所に対応する第１蓄電装置の第１動作を決定し、複数の変電所の中の第２変電所の予測電力と第１動作とに基づいて、第２変電所に対応する第２蓄電装置の第２動作を決定する決定部と、を備える。【選択図】図１
2015023689.tif 000002
【特許請求の範囲】
【請求項１】
複数の変電所の夫々を指定して対象変電所とし、電力系統から前記対象変電所へ供給される電力を示す受電情報を取得し、前記対象変電所から架線へ供給される電力を示すき電情報を取得し、前記対象変電所に接続されている蓄電装置の充放電を示す充放電情報を取得し、前記架線からの電力による列車の運行を示す運行情報を取得し、前記受電情報と前記き電情報と前記充放電情報と前記運行情報とに基づいて、前記対象変電所における電力の予測値である予測電力を算出する予測部と、
前記複数の変電所の中の第１変電所の予測電力に基づいて、前記第１変電所に対応する第１蓄電装置の第１動作を決定し、前記複数の変電所の中の第２変電所の予測電力と前記第１動作とに基づいて、前記第２変電所に対応する第２蓄電装置の第２動作を決定する決定部と、
を備える電力制御システム。
【請求項２】
前記決定部は、前記第２変電所の予測電力が特定値を超えるか否かを判定し、前記判定の結果と前記第１動作とに基づいて前記第２動作を決定する、
請求項１に記載の電力制御システム。
【請求項３】
前記決定部は、前記第２変電所の予測電力が前記特定値を超えないと判定された場合、前記第１動作が前記第１蓄電装置の放電であるか否かを判定し、前記第１動作が前記第１蓄電装置の放電でないと判定された場合、前記第２蓄電装置の充電を前記第２動作として決定する、
請求項２に記載の電力制御システム。
【請求項４】
前記決定部は、前記第２変電所の予測電力が前記特定値を超えないと判定され、且つ前記第１動作が前記第１蓄電装置の放電であると判定された場合、前記第２蓄電装置の放電を前記第２動作として決定する、
請求項３に記載の電力制御システム。
【請求項５】
前記決定部は、前記第２変電所の予測電力が前記特定値を超えると判定された場合、前記第２蓄電装置の放電を前記第２動作として決定する、
請求項４に記載の電力制御システム。
【請求項６】
前記決定部は、前記第１変電所の予測電力が前記特定値を超えると判定された場合、前記第１蓄電装置の放電を前記第１動作として決定する、
請求項５に記載の電力制御システム。
【請求項７】
前記予測部は、前記複数の変電所の中の特定の変電所に接続されている分散型発電により発電される電力を示す発電情報を取得し、前記受電情報と前記き電情報と前記充放電情報と前記発電情報と前記運行情報とに基づいて前記特定の変電所の予測電力を算出する、
請求項６に記載の電力制御システム。
【請求項８】
前記対象変電所の予測電力は、前記対象変電所における前記電力系統からの需要電力の予測値である、
請求項１乃至７の何れか一項に記載の電力制御システム。
【請求項９】
前記決定部は、前記複数の変電所の中で、前記第２変電所から所定距離以内に位置する変電所を前記第１変電所として選択する、
請求項８に記載の電力制御システム。
【請求項１０】
前記決定部は、前記複数の変電所の中で、前記第２変電所に隣接する変電所を前記第１変電所として選択する、
請求項８に記載の電力制御システム。
【請求項１１】
複数の変電所の夫々を指定して対象変電所とし、電力系統から前記対象変電所へ供給される電力を示す受電情報を取得し、前記対象変電所から架線へ供給される電力を示すき電情報を取得し、前記対象変電所に接続されている蓄電装置の充放電を示す充放電情報を取得し、前記架線からの電力による列車の運行を示す運行情報を取得し、
前記受電情報と前記き電情報と前記充放電情報と前記運行情報とに基づいて、前記対象変電所における電力の予測である予測電力を算出し、
前記複数の変電所の中の第１変電所の予測電力に基づいて、前記第１変電所に対応する第１蓄電装置の第１動作を決定し、
前記複数の変電所の中の第２変電所の予測電力と前記第１動作とに基づいて、前記第２変電所に対応する第２蓄電装置の第２動作を決定する、
ことを備える電力制御方法。
【発明の詳細な説明】
【技術分野】
【０００１】
本発明は、電力を制御する技術に関する。
【背景技術】
【０００２】
運転ダイヤに基づいて列車の運行のための所要電力を予測し、電力供給設備の間で電力を最適に配分する電力管理システムが知られている（特許文献１）。
【先行技術文献】
【特許文献】
【０００３】
【特許文献１】特開２００８−０２４２０６号公報
【発明の概要】
【発明が解決しようとする課題】
【０００４】
運転ダイヤに基づいて電力配分を最適化しても、実際の所要電力との間に偏差が生じることにより、需要電力が増大する場合がある。
【課題を解決するための手段】
【０００５】
上記課題を解決するために、本発明の一態様である電力制御システムは、複数の変電所の夫々を指定して対象変電所とし、電力系統から対象変電所へ供給される電力を示す受電情報を取得し、対象変電所から架線へ供給される電力を示すき電情報を取得し、対象変電所に接続されている蓄電装置の充放電を示す充放電情報を取得し、架線からの電力による列車の運行を示す運行情報を取得し、受電情報とき電情報と充放電情報と運行情報とに基づいて、対象変電所における電力の予測値である予測電力を算出する予測部と、複数の変電所の中の第１変電所の予測電力に基づいて、第１変電所に対応する第１蓄電装置の第１動作を決定し、複数の変電所の中の第２変電所の予測電力と第１動作とに基づいて、第２変電所に対応する第２蓄電装置の第２動作を決定する決定部と、を備える。
【発明の効果】
【０００６】
本発明の一態様によれば、或る変電所に接続された蓄電装置が別の変電所の蓄電装置の動作に基づいて電力を融通することにより、需要電力を低減することができる。
【図面の簡単な説明】
【０００７】
【図１】電気鉄道監視制御システムの構成を示す。
【図２】電力消費最適化システムの構成を示す。
【図３】蓄電装置制御処理を示す。
【発明を実施するための形態】
【０００８】
以下、本発明の実施例について図面を参照しつつ説明する。
【０００９】
図１は、電気鉄道監視制御システムの構成を示す。
【００１０】
電気鉄道監視制御システムは、複数の蓄電装置１ａ、１ｂと、電力消費最適化システム２と、電力管理システム３と、運行管理システム４と、複数の変電所５ａ、５ｂと、列車６と、架線１０とを有する。以下の説明において、符号のアルファベットによって要素を区別する必要がない場合、アルファベットを省略することがある。
【００１１】
電力管理システム３は、変電所５内の機器を監視制御する。運行管理システム４は、列車６を監視制御する。電力消費最適化システム２は、蓄電装置１を監視制御する。電力消費最適化システム２は、電力管理システム３および運行管理システム４に接続されている。
【００１２】
変電所５は、電力系統９に接続されている。変電所５は、変電設備４１と、開閉器４２、４３とを有する。変電設備４１は、電気鉄道用の変電設備であり、電力系統９と架線１０の間で変圧などを行う。変電設備４１は、開閉器４２、４３を有する。開閉器４２、４３は、遮断器であっても良い。開閉器４２は、電力管理システム３からの指示に従って、電力系統９と変電設備４１の間を開閉する。開閉器４３は、電力管理システム３からの指示に従って、変電設備４１と架線１０の間を開閉する。
【００１３】
複数の蓄電装置１は、複数の変電所５に夫々接続されている。蓄電装置１は、電力消費最適化システム２からの指示を受信し、その指示に応じて変電所５からの電力により充電したり変電所５へ放電したりする。蓄電装置１ａ、１ｂは、変電所５ａ、５ｂに夫々接続されている。蓄電装置１は、対応する変電所５の内部に設けられていても良い。
【００１４】
図２は、電力消費最適化システムの構成を示す。
【００１５】
電力管理システム３は、受電制御装置３１と、き電制御装置３２とを有する。受電制御装置３１は、電力系統９から変電所５への受電状態を監視し制御し、その受電状態を示す受電情報を出力する。き電制御装置３２は、変電所５から架線１０へのき電状態を監視し制御し、そのき電状態を示すき電情報を出力する。
【００１６】
電力消費最適化システム２は、例えばコンピュータである。コンピュータは、プログラム及びデータを格納するメモリと、メモリに接続されたマイクロプロセッサとを有する。このプログラムは、マイクロプロセッサを電力消費最適化システム２として機能させるプログラムである。このプログラムは、コンピュータ読み取り可能な媒体に格納されても良く、その媒体からコンピュータにより読み出されても良い。
【００１７】
電力消費最適化システム２は、運行情報取得装置２１と、電力供給予測装置２２と、電力消費予測装置２３と、制御パターンデータベース２４と、制御実績データベース２５とを有する。更に電力消費最適化システム２には、自然エネルギー発電装置７と、環境情報取得装置８とが接続されている。自然エネルギー発電装置７は、変電所５に接続されており、太陽光発電や風力発電など、自然エネルギーを用いる発電を行うことにより、架線１０へ電力を供給する。自然エネルギー発電装置７は、発電状況を示す発電情報を出力する。環境情報取得装置８は、今後の天候の変動を示す天候変動情報を提供する。天候の変動は、自然エネルギー発電装置７の発電電力に影響を与える。
【００１８】
電力供給予測装置２２は、受電制御装置３１から受電情報を受け取る。更に電力供給予測装置２２は、自然エネルギー発電装置７から発電情報を受け取り、環境情報取得装置８から天候変動情報を受け取り、発電情報と天候変動情報とに基づいて、自然エネルギー発電装置７の今後の発電電力を予測する。なお、ガスタービン発電など、自然エネルギー発電装置７以外の分散型電源が変電所５に接続されていても良い。この場合、電力供給予測装置２２は、その分散型電源の発電情報を受け取り、その分散型電源の今後の発電電力を予測しても良い。自然エネルギー発電装置７などの分散型電源の電力を予測することにより、列車６に供給する電力の予測の精度を向上させることができる。
【００１９】
運行情報取得装置２１は、運行管理システム４から運行情報を取得する。運行情報は、路線上の現在の列車６の位置を示す列車位置情報と、列車６の運行の実績を示す運行実績情報とを含む。例えば、運行実績情報は、時間帯と、その時間帯の列車６による電力消費を示す電力消費情報とを含む。時間帯は、季節、曜日、時刻などを含んでも良い。電力消費情報は、路線における列車６の在線本数、列車６の車両重量、天候、温度、沿線のイベント、路線や駅の混雑状況、列車６の速度、路線の勾配、ランカーブなどを含んでも良い。制御実績データベース２５は、変電所５毎の制御実績情報を記録する。制御実績情報は、運行実績情報と、蓄電装置１の充放電を示す充放電情報とを含む。これにより、制御実績データベース２５には、過去の制御実績情報が蓄積される。
【００２０】
電力消費予測装置２３は、予測部５１と決定部５２とを有する。
【００２１】
予測部５１は、運行情報取得装置２１により取得された列車位置情報を受け取る。更に予測部５１は、制御実績データベース２５に記録された制御実績情報を取得する。更に予測部５１は、き電制御装置３２からき電情報を受け取る。更に予測部５１は、制御実績情報と列車位置情報とき電情報に基づいて、列車６による消費電力である列車消費電力を予測する。更に予測部５１は、制御実績情報と列車位置情報に基づいて、列車６による今後の回生電力を予測する。更に予測部５１は、蓄電装置１の充電に用いる電力である充電電力と、蓄電装置１から放電される電力である放電電力とについて、制御実績情報と列車位置情報と充放電情報に基づいて、蓄電装置１による今後の充電電力および放電電力を予測する。
【００２２】
決定部５２は、予測結果に基づいて、変電所５に接続されている蓄電装置１の動作を示す制御パターンを作成し、制御パターンを制御パターンデータベース２４に記録し、制御パターンを蓄電装置１へ送信することにより蓄電装置１を制御する。制御パターンは、蓄電装置１の充電、放電、待機などを示す。なお、制御パターンは、充電時間、放電時間、充放電の電圧範囲、充電率の範囲、放電率の範囲などを含んでも良い。
【００２３】
蓄電装置１は、制御機器１１と、蓄電機器１２と、制御パターンデータベース１３とを有する。蓄電機器１２は、蓄電池やフライホイール・バッテリなどである。
【００２４】
制御機器１１は、電力消費最適化システム２から制御パターンを受信し、制御パターンデータベース１３へ記録し、記録された制御パターンに従って蓄電機器１２の動作を制御する。制御パターンが充電を示す場合、制御機器１１は、変電所５からの電力の供給を受けることにより、蓄電機器１２を充電する。制御パターンが放電を示す場合、制御機器１１は、蓄電機器１２を放電することにより、変電所５へ電力を供給する。制御パターンが待機を示す場合、制御機器１１は、充電や放電を行わずに待機する。
【００２５】
更に制御機器１１は、蓄電機器１２の状態を示す充放電情報を電力消費最適化システム２へ送信する。充放電情報は、例えば充電量や充電率である。電力消費最適化システム２は、制御機器１１からの充放電情報を制御実績データベース２５へ記録する。
【００２６】
以下、電力消費最適化システム２が複数の蓄電装置１を制御する蓄電装置制御処理について説明する。
【００２７】
図３は、蓄電装置制御処理を示す。
【００２８】
電力消費最適化システム２は、一定時間毎に蓄電装置制御処理を繰り返し実行する。
【００２９】
まず、運行情報取得装置２１は、運行管理システム４から運行情報を受信し、運行情報内の列車位置情報を予測部５１へ出力し、運行情報内の運行実績情報を制御実績データベース２５へ記録する（Ｓ２１０）。
【００３０】
その後、予測部５１は、運行情報取得装置２１からの列車位置情報と、制御実績データベース２５内の制御実績情報と、き電制御装置３２からのき電情報とに基づいて、複数の変電所５の夫々に対し、今後の列車消費電力である予測列車消費電力を算出する（Ｓ２２０）。例えば、予測部５１は、現在時刻の時間帯を認識し、認識された時間帯と変電所５とに対応する制御実績情報を制御実績データベース２５から取得する。
【００３１】
その後、予測部５１は、運行情報取得装置２１からの列車位置情報と、制御実績データベース２５内の制御実績情報とに基づいて、列車６による今後の電力の回生電力を示す予測回生電力を算出する（Ｓ２３０）。
【００３２】
その後、決定部５２は、運行情報取得装置２１からの列車位置情報と、制御実績データベース２５内の制御実績情報とに基づいて、今後の充電電力を示す予測充電電力と、今後の放電電力を示す予測放電電力とを算出する（Ｓ２４０）。
【００３３】
その後、電力供給予測装置２２は、自然エネルギー発電装置７からの発電情報と、環境情報取得装置８からの天候変動情報とに基づいて、自然エネルギー発電装置７による今後の発電電力を示す予測発電電力を算出する（Ｓ２５０）。
【００３４】
その後、決定部５２は、複数の変電所５の一つを順番に選択して対象変電所とし、予測列車消費電力と、予測回生電力と、予測充電電力と、予測放電電力と、予測発電電力とに基づいて、現在の対象変電所がピーク時間帯であるか否かを判定する（Ｓ３２０）。例えば、決定部５２は、対象変電所が電力系統９から受電する電力である需要電力の予測を予測需要電力として算出し、更に決定部５２は、予測需要電力が所定の需要電力閾値を超える場合、ピーク時間帯であると判定する。ここで決定部５２は、特定値として需要電力閾値を用いる。例えば、列車消費電力と充電電力との合計を内部需要電力とし、回生電力と放電電力と発電電力との合計を内部供給電力とすると、需要電力は、内部需要電力から内部供給電力を減じた値である。
【００３５】
現在がピーク時間帯であると判定された場合（Ｓ３２０：Ｙ）、決定部５２は、対象変電所の蓄電装置１を放電させることを対象変電所の制御パターンとして決定する（Ｓ３３０）。現在がピーク時間帯でないと判定された場合（Ｓ３２０：Ｎ）、決定部５２は、対象変電所の蓄電装置１を充電させることを対象変電所の制御パターンとして決定する（Ｓ３４０）。
【００３６】
その後、決定部５２は、全ての変電所５についてピーク時間帯の判定を行ったか否かを判定する（Ｓ３５０）。全ての変電所５についてピーク時間帯の判定を行っていないと判定された場合（Ｓ３５０：Ｎ）、決定部５２は、処理をＳ３１０へ移行させ、次の対象変電所を選択する。全ての変電所５についてピーク時間帯の判定を行ったと判定された場合（Ｓ３５０：Ｙ）、決定部５２は、全ての変電所５の制御パターンを制御パターンデータベース２４へ記録する（Ｓ３６０）。
【００３７】
その後、決定部５２は、複数の変電所５の一つを順番に選択して対象変電所とし、架線１０に沿って対象変電所に隣接する変電所５を隣接変電所として選択し、制御パターンデータベース２４から隣接変電所の制御パターンを取得し、対象変電所および隣接変電所の制御パターンが所定の制御パターン条件を満たすか否かを判定する（Ｓ４２０）。ここで、決定部５２は、対象変電所の制御パターンが放電以外を示しており、且つ隣接変電所の制御パターンが放電を示している場合、対象変電所および隣接変電所の制御パターンが制御パターン条件を満たすと判定する。
【００３８】
制御パターンが制御パターン条件を満たす場合（Ｓ４２０：Ｙ）、決定部５２は、対象変電所の制御パターンを、対象変電所の蓄電装置１を放電させることに変更する（Ｓ４３０）。制御パターンが制御パターン条件を満たしていない場合（Ｓ４２０：Ｎ）、決定部５２は、処理をＳ４５０へ移行させる。
【００３９】
その後、決定部５２は、全ての変電所５について隣接変電所の判定を行ったか否かを判定する（Ｓ４５０）。全ての変電所５について隣接変電所の判定を行っていないと判定された場合（Ｓ４５０：Ｎ）、決定部５２は、処理をＳ４２０へ移行させ、次の対象変電所および隣接変電所を選択する。全ての変電所５について隣接変電所の判定を行ったと判定された場合（Ｓ４５０：Ｙ）、決定部５２は、変更された制御パターンを制御パターンデータベース２４へ記録し、その制御パターンを対応する蓄電装置１へ送信し（Ｓ４６０）、このフローを終了する。
【００４０】
以上が蓄電装置制御処理である。
【００４１】
なお、決定部５２は、時間帯毎の制御パターンを決定し、制御パターンデータベース２４へ記録しても良い。この場合、決定部５２は、現在時刻の時間帯を認識し、認識された時間帯に対応する制御パターンを制御パターンデータベース２４から取得し、蓄電装置１へ送信しても良い。また、蓄電装置１の制御機器１１は、時間帯毎の制御パターンを決定し、制御パターンデータベース２４へ記録しても良い。また、電力供給予測装置２２および予測部５１は、電力に代えて電力量を予測しても良い。
【００４２】
Ｓ４２０において隣接変電所を第１変電所と呼ぶことができ、対象変電所を第２変電所と呼ぶことができる。決定部５２は、複数の変電所の中で対象変電所から所定距離以内にある変電所５を、隣接変電所に代えて選択しても良い。
【００４３】
なお、Ｓ３２０において、決定部５２は、内部需要電力の予測値に対し、需要電力と内部供給電力との合計の予測値の余裕が所定の余裕閾値を下回るか否かを判定しても良い。余裕が余裕閾値を下回る場合、決定部５２は、処理をＳ３３０へ移行させ、余裕が余裕閾値を下回らない場合、決定部５２は、処理をＳ３４０へ移行させる。この場合、決定部５２は、特定値として、予め設定された需要電力の上限から所定の余裕を減じた値であっても良い。予測需要電力と特定値を比較することにより、需要電力が過大になることを防ぐことができる。決定部５２は、予測需要電力の代わりに予測列車消費電力を用いても良い。予測需要電力または予測列車消費電力を予測電力と呼ぶことができる。
【００４４】
なお、決定部５２は、複数の変電所５の中から特定の変電所５を選択し、Ｓ３２０〜Ｓ３６０の処理により、選択された変電所５の制御パターンを決定し、複数の変電所５の中から特定の変電所５以外の変電所５を選択し、Ｓ４２０〜Ｓ４５０の処理により、選択された変電所５の制御パターンを決定しても良い。
【００４５】
対象変電所の予測需要電力が需要電力閾値を超えず、且つ隣接変電所の制御パターンが放電でない場合、対象変電所が隣接変電所へ電力を融通する必要がないと判定することにより、需要電力を過大にすることなく、蓄電装置１を充電することができる。対象変電所の予測需要電力が需要電力閾値を超えず、且つ隣接変電所の制御パターンが放電である場合、対象変電所が隣接変電所へ電力を融通するために放電することにより、需要電力を低減することができる。対象変電所の予測需要電力が需要電力閾値を超える場合、対象変電所が放電することにより、最大需要電力を低減することができる。
【００４６】
路線の全体に亘って、電気鉄道監視制御システムの内部で消費される電力と、電気鉄道監視制御システムの内部および外部から供給される電力とを予測し、予測結果に基づいて、複数の蓄電装置１の動作を決定することができる。
【００４７】
複数の変電所５において、変電所５の位置（線区）によってピーク時間帯は異なる。例えば、路線が郊外と都市を結んでいる場合、都市から遠いほど、朝のラッシュによるピーク時間帯は早くなる。また、都市から遠いほど、夕方のラッシュによるピーク時間帯は遅くなる。蓄電装置制御処理によれば、夫々の変電所５の位置のピーク時間帯に応じて、対応する蓄電装置１の動作を決定することができる。
【００４８】
また、或る変電所５ａの蓄電装置１ａの動作に応じて、別の変電所５ｂの蓄電装置１ｂの動作を決定することができる。変電所５ｂの蓄電装置１ｂが隣接する変電所５ａの蓄電装置１ａの放電に伴って放電することにより、変電所５ｂが隣接する変電所５ａへ電力を融通することができる。これにより、夫々の変電所５の最大需要電力を低減することができる。これにより、路線全体の電力コストを削減することができる。また、変電所５が受電する電力を抑えることにより変電所５の設備のコストを抑えることができる。また、或る変電所５から隣接する変電所５へ電力を融通することにより、送電損失をできるだけ小さくすることができる。また、或る変電所５から所定距離以内の変電所５へ電力を融通することにより、送電損失をできるだけ小さくすることができる。
【００４９】
以上の実施例で説明された技術は、次のように表現することもできる。
（表現１）
複数の変電所の夫々を指定して対象変電所とし、電力系統から前記対象変電所へ供給される電力を示す受電情報を取得し、前記対象変電所から架線へ供給される電力を示すき電情報を取得し、前記対象変電所に接続されている蓄電装置の充放電を示す充放電情報を取得し、前記架線からの電力による列車の運行を示す運行情報を取得し、前記受電情報と前記き電情報と前記充放電情報と前記運行情報とに基づいて、前記対象変電所における電力の予測値である予測電力を算出する予測部と、
前記複数の変電所の中の第１変電所の予測電力に基づいて、前記第１変電所に対応する第１蓄電装置の第１動作を決定し、前記複数の変電所の中の第２変電所の予測電力と前記第１動作とに基づいて、前記第２変電所に対応する第２蓄電装置の第２動作を決定する決定部と、
を備える電力制御システム。
（表現２）
前記決定部は、前記第２変電所の予測電力が特定値を超えるか否かを判定し、前記判定の結果と前記第１動作とに基づいて前記第２動作を決定する、
表現１に記載の電力制御システム。
（表現３）
前記決定部は、前記第２変電所の予測電力が前記特定値を超えないと判定された場合、前記第１動作が前記第１蓄電装置の放電であるか否かを判定し、前記第１動作が前記第１蓄電装置の放電でないと判定された場合、前記第２蓄電装置の充電を前記第２動作として決定する、
表現２に記載の電力制御システム。
（表現４）
前記決定部は、前記第２変電所の予測電力が前記特定値を超えないと判定され、且つ前記第１動作が前記第１蓄電装置の放電であると判定された場合、前記第２蓄電装置の放電を前記第２動作として決定する、
表現３に記載の電力制御システム。
（表現５）
前記決定部は、前記第２変電所の予測電力が前記特定値を超えると判定された場合、前記第２蓄電装置の放電を前記第２動作として決定する、
表現４に記載の電力制御システム。
（表現６）
前記決定部は、前記第１変電所の予測電力が前記特定値を超えると判定された場合、前記第１蓄電装置の放電を前記第１動作として決定する、
表現５に記載の電力制御システム。
（表現７）
前記予測部は、前記複数の変電所の中の特定の変電所に接続されている分散型発電により発電される電力を示す発電情報を取得し、前記受電情報と前記き電情報と前記充放電情報と前記発電情報と前記運行情報とに基づいて前記特定の変電所の予測電力を算出する、
表現６に記載の電力制御システム。
（表現８）
前記対象変電所の予測電力は、前記対象変電所における前記電力系統からの需要電力の予測値である、
表現１乃至７の何れか一項に記載の電力制御システム。
（表現９）
前記決定部は、前記複数の変電所の中で、前記第２変電所から所定距離以内に位置する変電所を前記第１変電所として選択する、
表現８に記載の電力制御システム。
（表現１０）
前記決定部は、前記複数の変電所の中で、前記第２変電所に隣接する変電所を前記第１変電所として選択する、
表現８に記載の電力制御システム。
（表現１１）
複数の変電所の夫々を指定して対象変電所とし、電力系統から前記対象変電所へ供給される電力を示す受電情報を取得し、前記対象変電所から架線へ供給される電力を示すき電情報を取得し、前記対象変電所に接続されている蓄電装置の充放電を示す充放電情報を取得し、前記架線からの電力による列車の運行を示す運行情報を取得し、
前記受電情報と前記き電情報と前記充放電情報と前記運行情報とに基づいて、前記対象変電所における電力の予測である予測電力を算出し、
前記複数の変電所の中の第１変電所の予測電力に基づいて、前記第１変電所に対応する第１蓄電装置の第１動作を決定し、
前記複数の変電所の中の第２変電所の予測電力と前記第１動作とに基づいて、前記第２変電所に対応する第２蓄電装置の第２動作を決定する、
ことを備える電力制御方法。
【００５０】
本発明は、以上の実施例に限定されるものでなく、その趣旨から逸脱しない範囲で、他の様々な形に変更することができる。
【符号の説明】
【００５１】
１、１ａ、１ｂ：蓄電装置、  ２：電力消費最適化システム、  ３：電力管理システム、  ４：運行管理システム、  ５、５ａ、５ｂ：変電所、  ６：列車、  ７：自然エネルギー発電装置、  ８：環境情報取得装置、  ９：電力系統、  １０：架線、  １１：制御機器、  １２：蓄電機器、  １３：制御パターンデータベース、  ２１：運行情報取得装置、  ２２：電力供給予測装置、  ２３：電力消費予測装置、  ２４：制御パターンデータベース、  ２５：制御実績データベース、  ３１：受電制御装置、  ３２：き電制御装置、  ４１：変電設備、  ４２：開閉器、  ４３：開閉器、  ５１：予測部、  ５２：決定部
【図１】
2015023689.tif 000003
【図２】
2015023689.tif 000004
【図３】
2015023689.tif 000005